(57)【要約】      （修正有）【課題】膝の負担が小さいスクワットトレーニングを行うことができる椅子を提供する。【解決手段】椅子は、設置面に対して傾斜した傾斜部１３を有する支持体１と、傾斜部上をスライドするスライド機構３と、スライド機構に連結され座面部材２１と背もたれ部材２２とを有するシート２とを有している。座面部材は、座面前部２１ａ及び座面後部２１ｂを有している。座面前部は、座面後部に対して角度調節可能に連結されている。スライド機構による位置調整、座面前部の角度調整を行うことにより、使用者への膝の負担が小さいスクワットトレーニングを行うことができるように構成されている。【選択図】図１
2017124059.tif 000002
【特許請求の範囲】
【請求項１】
設置面に対して傾斜した傾斜部を有する支持体と、
前記傾斜部上をスライドするスライド機構と、
前記スライド機構に連結され、座面部材と背もたれ部材とを有するシートとを備え、
前記座面部材は、座面前部と座面後部とを含み、
前記座面前部は、前記座面後部と角度調節可能に連結されている、椅子。
【請求項２】
前記背もたれ部材は、前記座面部材に対して角度調節可能に連結されている、請求項１記載の椅子。
【請求項３】
前記傾斜部の前記設置面に対する傾斜角度は調整可能とされている、請求項１又は２記載の椅子。
【請求項４】
前記支持体は、後脚部材と縦梁部材とを有しており、
前記縦梁部材は、前記傾斜部を有しており、
前記後脚部材は、前記縦梁部材に対して、角度調整可能に連結されている、請求項３記載の椅子。
【請求項５】
前記支持体は、後脚部材を有しており、
前記後脚部材は、伸縮可能な部材である、請求項３記載の椅子。
【請求項６】
前記支持体は、前脚部材と、後脚部材と、縦梁部材とを有しており、
前記縦梁部材は前記傾斜部を有しており、
前記前脚部材及び前記後脚部材は、前記縦梁部材に対して、鈍角をなすように連結されている、請求項１又は２記載の椅子。
【請求項７】
前記シートは、前記シートを被覆するカバーを有しており、
前記カバーは、前記シートの幅方向中央に、前記シートの長手方向に沿って形成されている中央カバーを含んでおり、
前記カバーは、前記中央カバーの側方に周辺カバーを含んでおり、
前記中央カバーは、前記周辺カバーよりも摩擦係数が大きい、請求項１〜６のいずれか１項に記載の椅子。
【請求項８】
前記支持体が載置されるマットと、
前記マットに接合されている踏み台とをさらに備えている、請求項１〜７のいずれか１項に記載の椅子。
【発明の詳細な説明】
【技術分野】
【０００１】
本発明は、椅子に関し、特にスクワットトレーニングに用いられる椅子に関する。
【背景技術】
【０００２】
スクワットトレーニングは、下肢に対するトレーニングとして広く知られている。スクワットトレーニングに用いられる器具として、特許文献１及び特許文献２記載のトレーニング器具が提案されている。
【０００３】
特許文献１記載のトレーニング器具は、設置面に対して傾斜している傾斜部を持つ支持体と、支持体の傾斜部上をスライドするシートと、シートをスライドさせるためのスライド機構と、支持体の傾斜方向前方に設けられた踏み込み台とを有している。なお、シートには、背もたれが設けられている。
【０００４】
このトレーニング器具を用いる使用者は、踏み込み台に足の裏を据えて、シート上に座る。この状態で、使用者は、踏み台を蹴り出す動作を行う。この動作により、使用者は、自重を負荷とした下肢の伸展トレーニングを行うことができる。
【０００５】
特許文献２記載のトレーニング器具は、床面に対して傾斜を有するレール部を含む基台部と、レール部にスライド可能に取り付けられる椅子部と、足押部とを有している。
【０００６】
このトレーニング器具を用いる使用者は、足押部に足の裏を据えて、椅子部上に座る。この状態で、使用者は、足押部を蹴り出す動作を行う。この動作により、使用者は、自重を負荷とした下肢の伸展トレーニングを行うことができる。
【先行技術文献】
【特許文献】
【０００７】
【特許文献１】特開２００５−２１１３２３号公報
【特許文献２】特開２０１５−１８１８６０号公報
【発明の概要】
【発明が解決しようとする課題】
【０００８】
特許文献１及び特許文献２記載のトレーニング器具には、使用者の膝関節の可動範囲を規制する手段が何ら設けられていない。そのため、下肢の伸展トレーニング中に、使用者の膝関節が伸び切ってしまう場合がある。トレーニング中において膝関節が伸び切ってしまうことは、膝関節に対する負傷の原因となる場合がある。
【０００９】
本発明は、このような従来技術の問題点に鑑みてなされたものである。具体的には、本発明は、膝の負担が小さいスクワットトレーニングを行うことができる椅子を提供することを目的とする。
【課題を解決するための手段】
【００１０】
本発明に係る椅子は、設置面に対して傾斜した傾斜部を有する支持体と、傾斜部上をスライドするスライド機構と、スライド機構に連結され、座面部材と背もたれ部材とを有するシートとを有している。座面部材は、座面前部及び座面後部を有している。座面前部は、座面後部に対して角度調節可能に連結されている。
【発明の効果】
【００１１】
本発明に係る椅子によれば、使用者は膝の負担が小さいスクワットトレーニングを行うことができる。
【図面の簡単な説明】
【００１２】
【図１】実施形態に係る椅子の構造を示す図である。
【図２】実施形態に係る椅子の正面図である。
【図３】実施形態に係る椅子のスライド機構の構造を示す図である。
【図４】実施形態の変形例に係る椅子の踏み台の構造を示す側面図である。
【発明を実施するための形態】
【００１３】
以下、実施形態について図を参照して説明する。なお、各図中同一または相当部分には同一符号を付している。また、以下に記載する実施形態の少なくとも一部を任意に組み合わせてもよい。
【００１４】
まず、実施形態に係る椅子の構造について説明する。
第１に、実施形態に係る椅子の全体構造を説明する。
【００１５】
図１は、実施形態に係る椅子の構造を示す図である。図１に示すように、実施形態に係る椅子は、支持体１と、シート２と、スライド機構３とを有している。シート２は、スライド機構３に連結されている。スライド機構３は、支持体１の傾斜部上においてスライド可能となっている。
【００１６】
第２に、実施形態に係る椅子における支持体１の構造について説明する。
支持体１は、前脚部材１１と、後脚部材１２と、縦梁部材１３と、横梁部材１４とを有している。
【００１７】
前脚部材１１及び後脚部材１２は、縦梁部材１３の端部にそれぞれ接合されている。図１において図示されていないが、支持体１は、前脚部材１１及び後脚部材１２が接合された縦梁部材１３を、２本有している。２本の縦梁部材１３の各々は、平行に配置されている。横梁部材１４の端部には、２本の縦梁部材１３が接合されている。
【００１８】
縦梁部材１３は、傾斜部を構成している。すなわち、縦梁部材１３は、後脚部材１２が接合されている側から前脚部材１１が接合されている側に向かって、設置面に対する高さが低くなるように、傾斜している。これにより、支持体１は、設置面に対して傾斜した傾斜部を有することになる。
【００１９】
縦梁部材１３の端部付近には、スライド止め部材１５が形成されている。これにより、スライド機構３が縦梁部材１３上をスライドする範囲がスライド止め部材１５の間の範囲に規制される。
【００２０】
前脚部材１１は、縦梁部材１３と鈍角をなすように接合されていることが好ましい。また、後脚部材１２は、縦梁部材１３と鈍角をなすように接合されていることが好ましい。
【００２１】
後脚部材１２は、縦梁部材１３と、角度調節可能に接合されていてもよい。また、後脚部材１２は、伸縮可能となっていてもよい。すなわち、支持体１の傾斜部が有する設置面に対する傾斜角度が調整可能となっていてもよい。
【００２２】
第３に、実施形態に係る椅子におけるシートの構造について説明する。
シート２は、座面部材２１と背もたれ部材２２とを有している。背もたれ部材２２は、座面部材２１に角度調整可能に連結されている。座面部材２１は、座面前部２１ａと座面後部２１ｂとを有している。座面部材２１は、座面後部２１ｂにおいて、背もたれ部材２２と連結している。座面前部２１ａは、座面後部２１ｂに対して角度調節可能となっている。
【００２３】
図２は、実施形態に係る椅子の正面図である。図２に示すように、シート２は、凹み部２１ｃを有していてもよい。凹み部２１ｃは、シート２の幅方向の中央付近において、シート２の長手方向に沿って形成されている。凹み部２１ｃは、シート２のうち、座面部材２１のみに形成されていてもよい。凹み部２１ｃは、シート２のうち、背もたれ部材２２のみに形成されていてもよい。凹み部２１ｃにおいては、シート２の上面（使用者の身体に接触する側の面）が、周囲よりも凹んだ形状となっている。
【００２４】
座面部材２１及び背もたれ部材２２は、カバー２３に覆われている。カバー２３は、好ましくは中央カバー２３ａと、周辺カバー２３ｂとを有している。中央カバー２３ａは、シート２の幅方向の中央付近において、シート２の長手方向に沿って形成されている。周辺カバー２３ｂは、中央カバー２３ａの側方に配置されている。好ましくは、中央カバー２３ａが配置される位置は、凹み部２１ｃが配置される位置に対応している。
【００２５】
中央カバー２３ａは、周辺カバー２３ｂよりも摩擦係数が大きい材質であることが好ましい。例えば、中央カバー２３ａは、ポリエステルを用いたダブルラッセル編の生地で形成されていることが好ましい。他方、周辺カバー２３ｂは、例えばポリエステルを用いた織物の生地で形成されていることが好ましい。なお、摩擦係数は、摩擦感テスターＫＥＳ−ＳＥ（カトーテック株式会社製）を用いて、荷重２００ｇｆ、移動速度１ｍｍ／秒の条件で測定される。
【００２６】
座面部材２１の内部には座面フレーム２４が設けられている。背もたれ部材２２の内部には背もたれフレーム２５が設けられている。
【００２７】
座面フレーム２４は、座面前部フレーム２４ａと座面後部フレーム２４ｂとを有している。座面前部フレーム２４ａは、座面後部フレーム２４ｂに、第１のギア２６を介して連結されている。第１のギアは、例えばラチェットギアである。これにより、座面前部２１ａは、座面後部２１ｂに対して、角度調節可能に連結されている。
【００２８】
背もたれフレーム２５は、座面フレーム２４に、第２のギア２７を介して連結されている。第２のギア２７は、例えばラチェットギアである。これにより、座面部材２１は、背もたれ部材２２に対して、角度調節可能となっている。
【００２９】
座面フレーム２４は、カバー２３の内部においてクッション部材２８に覆われている。同様に、背もたれフレーム２５は、カバー内部においてクッション部材２８に覆われている。これにより、使用者の身体にかかる圧力が低減される。クッション部材２８は、例えばチップウレタンである。
【００３０】
第４に、実施形態に係る椅子のスライド機構の構造について説明する。
図３は、実施形態に係るスライド機構３の構造を示す図である。図３（Ａ）は、スライド機構３を、側面から見た図である。図３（Ｂ）はスライド機構３を、正面から見た図である。図３（Ａ）に示すように、スライド機構３は、支持部材３１と、ベアリング３２とを有している。
【００３１】
図１に示すように、支持部材３１は座面フレーム２４に接合されている。これにより、シート２がスライド機構３と連結される。図３（Ａ）及び図３（Ｂ）に示すように、支持体１は、縦梁部材１３をベアリング３２の間に挟みこむことによって、スライド機構３に連結されている。これにより、スライド機構３は、支持体１の傾斜部上でスライド可能となっている。
【００３２】
第５に、踏み台の構造について説明する。
図１に示すように、実施形態に係る椅子は、踏み台４を有していてもよい。踏み台４は、例えば半円形の断面形状を有している。踏み台４は、例えば硬質又は軟質の発泡性樹脂により形成されている。実施形態に係る椅子は、マット５を有していてもよい。マット５上には、支持体１が載置される。踏み台４は、例えば面ファスナー等の着脱可能な固定部材６により、マット５に固定されていることが好ましい。
【００３３】
踏み台４が硬質の発泡性樹脂の場合、使用者が踏み台４上において足を載せる位置を移動させることにより、トレーニング中に足首の角度を調整することができる。また、踏み台４が軟質の発泡性樹脂の場合、使用者がつま先を踏み台４に埋めることにより、トレーニング中に足首の角度を調整することができる。
【００３４】
図４は、実施形態の変形例に係る椅子の踏み台４の構造を示す側面図である。図４に示すように、踏み台４は、踏板４ａと支持部４ｂとを有している。踏板４ａは、回転軸４ｃを中心として回転可能に支持部４ｂに取り付けられている。踏板４ａは、例えば平板形状を有している。支持部４ｂは、設置面上又はマット５上に載置される。使用者は、トレーニング中に、踏板４ａに足を載せる。このような構成によっても、踏板４ａが回転軸４ｃを中心に回転するため、使用者がトレーニングに足首の角度を調整することができる。
【００３５】
次に、実施形態に係る椅子の使用方法について説明する。
使用者は、その臀部を座面部材２１に、その背部を背もたれ部材２２に、その足を踏み台４に載せることにより、シート２上に着座する。
【００３６】
支持体１の傾斜部は、設置面に対して傾斜している。そのため、シート２上に着座した使用者の下肢を屈曲させる方向に、使用者の自重が作用する。使用者は、この自重に抗って下肢を伸展させることにより、シート２を上方にスライドさせる。
【００３７】
使用者は、その後、下肢の伸展力を緩和させることにより、シート２を下方にスライドさせる。使用者は、これを繰り返すことにより、下肢に対するトレーニング効果が得られる。
【００３８】
さらに、実施形態に係る椅子の効果について説明する。
上記のとおり、使用者は、下肢を伸展させることにより、トレーニングを行う。座面部材２１が座面前部２１ａ及び座面後部２１ｂを有していない場合、下肢が伸展する範囲を規制する部材は何ら存在しない。そのため、トレーニング中に下肢の膝関節が完全に伸展してしまう可能性がある。
【００３９】
一般的に、膝に障害を抱えている者や高齢者は、膝関節を完全に伸展させた場合、膝関節に負傷が生じる可能性がある。
【００４０】
実施形態に係る椅子においては、座面前部２１ａが座面後部２１ｂに対して角度調整可能に連結されているため、座面前部２１ａを座面後部２１ｂに対して立った状態とすることができる。
【００４１】
このような場合、座面前部２１ａが大腿の可動範囲を規制する。そのため、実施形態に係る椅子においては、使用者の膝関節が、一定の角度以上に伸展しない。その結果、実施形態に係る椅子においては、使用者の膝関節に負傷が発生する可能性を抑制することができる。
【００４２】
座面部材２１に対し、背もたれ部材２２が立っている場合、使用者がシート２を上方から下方にスライドさせる際に、使用者の上半身を前方に倒そうとする力が作用する。使用者は、トレーニング中に上半身が前方に倒れてしまわないようにするため、脊柱起立筋等の腰部の筋肉を緊張させておく必要がある。そのため、座面部材２１が背もたれ部材２２に対して固定されてしまっている場合には、使用者の腰部に対する負担は大きい。
【００４３】
しかしながら、実施形態に係る椅子においては、座面部材２１は、背もたれ部材２２と角度調節可能に連結されている。すなわち、実施形態に係る椅子においては、座面部材２１に対して背もたれ部材２２を寝かせた状態とすることもできる。
【００４４】
実施形態に係る椅子において、座面部材２１に対して背もたれ部材２２が寝かせた状態となっている場合、使用者がシート２を上方から下方にスライドさせる際に、使用者の上半身を前方に倒そうとする力が緩和される。
【００４５】
そのため、使用者は、トレーニング中に上半身が前方に倒れてしまわないようにするため、脊柱起立筋等の腰部の筋肉を緊張させておく必要はない。その結果、実施形態に係る椅子において、背もたれ部材２２が座面部材２１に対して角度調整可能とされている場合、使用者の腰部への負担を軽減することができる。
【００４６】
実施形態に係る椅子において、前脚部材１１及び後脚部材１２が、縦梁部材１３に対して鈍角をなすように接合されている場合、支持体１の安定性がより向上する。
【００４７】
そのため、実施形態に係る椅子が上述の構成を有している場合、使用中に、椅子が倒れてしまう可能性が低減する。
【００４８】
実施形態に係る椅子において、後脚部材１２が縦梁部材１３に対して角度調整可能に接合されていてもよい。また、実施形態に係る椅子において、後脚部材１２が伸縮可能とされていてもよい。このような構成により支持体１の傾斜部が有している設置面に対する傾斜角度が調整可能とされている場合、シート２を下方にスライドさせる方向に作用する自重が調整可能となる。
【００４９】
そのため、実施形態にかかる椅子がかかる構成を有している場合、椅子を用いたトレーニングの負荷を調整することができる。
【００５０】
実施形態に係る椅子において、カバー２３が中央カバー２３ａ及び周辺カバー２３ｂを有している場合、使用者の身体が、椅子の使用中にシート２から滑り落ちにくい。
【００５１】
そのため、実施形態に係る椅子がかかる構成を有している場合、使用者はより安全に椅子を用いたトレーニングを行うことができる。
【００５２】
実施形態に係る椅子において、シート２が凹み部２１ｃを有している場合、使用者のシート２上における着座姿勢が安定する。そのため、実施形態に係る椅子がかかる構成を有している場合、使用者の脚部以外への負担を減らすことができる。
【００５３】
トレーニング中に足の位置が固定されている場合、トレーニング中に膝を大きく屈曲させた姿勢において、足首も大きく屈曲してしまう。足首が大きく屈曲してしまうと、足首の関節への負荷が大きい。しかし、実施形態に係る椅子が踏み台４を有している場合、使用者がトレーニング中に足首の角度を変えることができる。そのため、実施形態に係る椅子がかかる構成を有している場合、膝の屈曲に伴う足首への負担を軽減することができる。
【００５４】
今回開示された実施形態はすべての点で例示であって、制限的なものではないと考えられるべきである。本発明の範囲は上記した実施の形態ではなく特許請求の範囲によって示され、特許請求の範囲と均等の意味、および範囲内でのすべての変更が含まれることが意図される。
【符号の説明】
【００５５】
１  支持体、１１  前脚部材、１２  後脚部材、１３  縦梁部材、１４  横梁部材、１５  スライド止め部材、２  シート、２１  座面部材、２１ａ  座面前部、２１ｂ  座面後部、２１ｃ  凹み部、２２  背もたれ部材、２３  カバー、２３ａ  中央カバー、２３ｂ  周辺カバー、２４  座面フレーム、２４ａ  座面前部フレーム、２４ｂ  座面後部フレーム、２５  背もたれフレーム、２６  第１のギア、２７  第２のギア、２８  クッション部材、３  スライド機構、３１  支持部材、３２  ベアリング、４  踏み台、４ａ  踏板、４ｂ  支持部、４ｃ  回転軸、５  マット、６  固定部材。
【図１】
2017124059.tif 000003
【図２】
2017124059.tif 000004
【図３】
2017124059.tif 000005
【図４】
2017124059.tif 000006